(57)【特許請求の範囲】
【請求項１】
交流点灯されるショートアーク放電ランプと、該放電ランプを囲むように配置された反射鏡とよりなり、該反射鏡の後部側に突出する放電ランプの外部リードと給電端子とが給電線で接続されてなる光源装置において、
前記給電線が、前記外部リードと前記給電端子との間でほぼ直線状に張設されていることを特徴とする光源装置。
【請求項２】
前記給電線が、外部リードを延長して構成されているものであることを特徴とする請求項１に記載の光源装置。
【請求項３】
前記放電ランプが、前記反射鏡に設けられたベースに取り付けられており、前記給電端子が該ベースに取り付けられたことを特徴とする請求項１に記載の光源装置。
【請求項４】
前記放電ランプが前記反射鏡に直接取り付けられており、前記給電端子が該反射鏡に取り付けられていることを特徴とする請求項１に記載の光源装置。
【発明の詳細な説明】
【技術分野】
【０００１】
この発明は、放電ランプと反射鏡とを備えた光源装置に関するものであり、特に、プロジェクタ装置に用いられる光源装置に係わるものである。
【背景技術】
【０００２】
ショートアーク型放電ランプは、発光管内に対向配置された一対の電極の先端距離が短く点光源に近いことから、反射鏡などの光学系と組み合わせることによって、効率よく光を利用することができ、映写機等のプロジェクタ装置用の光源装置として利用されている。
例えば、特開２００９−１１７２８４号公報がその一例である。
【０００３】
図４にその構造が示されており、一対の電極が対向配置された放電ランプ１を取り囲むように回転楕円面形状の反射鏡２が設けられている。該反射鏡２の後端にはベース３が接着剤等により取り付けられており、前記ランプ１は該ベース３に接着剤等により取り付けられていて、反射鏡２に対して所定位置に固定される。
前記ベース３には第１給電端子４と第２給電端子５とが設けられていて、該第１給電端子４は第１給電線８によりランプ１の一方の外部リード６に接続され、一方、第２給電端子５は第２給電線９により、反射鏡２の貫通孔１０を通して他方の外部リード７に接続されている。
なお、この従来技術においては、ランプ１の後端に始動補助光源１１が設けられている。
【０００４】
ところで、このような高圧放電ランプには、直流点灯型と交流点灯型が存在する。このうち、交流点灯する場合に、点灯周波数に応じた陰極から陽極、または、陽極から陰極への反転にともない、ランプが振動し、この振動が原因となってランプ点灯時に音鳴りがする、といった問題があった。
この問題を解決する手段として、例えば特開２００９−４３６９８号公報が知られている。これによれば、光源装置の反射鏡開口側に配置された給電線が、該反射鏡に設けられた貫通孔から引き出される場合に、該貫通孔部に柔軟性のあるチューブを配置することで解決している。
この公知技術を上記従来例に適用すると、反射鏡２の開口側に配置された第２給電線９と、反射鏡２の貫通孔１０との間に柔軟性チューブを配置することで音鳴りを防止することになる。
【０００５】
しかしながら、反射鏡２の開口側の第２給電線９と貫通孔１０との間で発生していた音鳴りを防止してもなお、音鳴りが発生するといった問題があった。この音鳴りの原因を調査した結果、反射鏡２の後方に配置した、第１給電端子４と外部リード６を接続する第１給電線８が振動して、ベース３等と接触して音鳴りが発生していることが判明した。
また、反射鏡にベースを設けることなく、ランプを反射鏡に直接取り付ける構造の光源装置においても、同様に、反射鏡後部側に突出するランプの外部リードと、反射鏡に取り付けられた給電端子とを接続する給電線が振動して、反射鏡と擦れ合って音鳴りが発生するという不具合があった。
【先行技術文献】
【特許文献】
【０００６】
【特許文献１】特開２００９−１１７２８４号公報
【特許文献２】特開２００９−４３６９８号公報
【発明の概要】
【発明が解決しようとする課題】
【０００７】
この発明が解決しようとする課題は、交流点灯されるショートアーク放電ランプと、該放電ランプを囲むように配置される反射鏡とよりなり、該反射鏡の後部側に突出する放電ランプの外部リードと給電端子とが給電線で接続されてなる光源装置において、ランプ点灯時にランプの振動によって前記給電線が振動して、ベースや反射鏡等の周辺の部材と擦れ合って音鳴りを発生することを防止した構造を提供せんとするものである。
【課題を解決するための手段】
【０００８】
上記課題を解決するために、この発明に係る光源装置は、前記反射鏡の後部側に突出する外部リードと給電端子とを接続する給電線が、前記外部リードと給電端子との間でほぼ直線状に接続されていることを特徴とする。
【発明の効果】
【０００９】
この発明の光源装置によれば、放電ランプ後端側の外部リードに接続された給電線が振動しても、これが直線的に張設されているので、その振動幅を小さく抑えることができて、ベースや反射鏡自体等の周辺部材と接触して擦れ合うことがなく、不快な音鳴りが発生することがないという効果を奏するものである。
【図面の簡単な説明】
【００１０】
【図１】本発明の光源装置の実施例の断面図。
【図２】本発明の光源装置の他の実施例の断面図。
【図３】本発明の他の実施例の断面図。
【図４】従来例の断面図。
【発明を実施するための形態】
【００１１】
図１において、反射鏡２には接着剤等によりベース３が固定され、放電ランプ１は該ベース３に対して同様に接着剤等により取り付けられている。そして、給電端子４が前記ベース３に取り付けられていて、反射鏡２の後部側に突出するランプ１の外部リード６と、前記給電端子４が給電線１２によってほぼ直線状に接続されている。
この給電線１２がベース３と接触することないように、給電端子４の位置が選定される。
その他の構造については、図４の従来例と同様である。
このような構造とすることにより、直線状に張設された前記給電線１２は、その振動幅が限定され、点灯時に放電ランプ１の振動があっても、該給電線１２の振動幅が小さく抑えられるので、周辺の部材、この場合ベース３と接触するようなことがなく、音鳴りがすることがない。
【００１２】
図２に他の実施例が示されており、この実施例では、反射鏡にはベースが設けられておらず、放電ランプは直接反射鏡に取り付けられている。
即ち、放電ランプ１は反射鏡２の後方首部２ａに接着剤等により直接取り付けられている。
そして、給電端子４はこの反射鏡２に設けられが、この実施例の場合、反射鏡１の貫通孔１３を利用して取り付けられる例が示されている。この貫通孔１３は、図１に示したように、ランプ１の反射鏡２内に配置された前方の外部リードからの給電線が挿入貫通されるものである。
そして、前記ランプ１の外部リード６と該給電端子４を接続する給電線１２は、ほぼ直線状に張設されている。
これにより、図１の実施例と同様に、前記給電線１２の振動幅が小さく抑えられ、周辺部材、この場合反射鏡２と接触することがなく、音鳴りの発生が防止される。
【００１３】
また、上記実施例では、外部リード６に別部材の給電線１２を接続する構造としたが、図３に示されるように、外部リード６をそのまま延長して給電線１２としてもよい。
なお、他の構造については図１の構造と同様である。
【００１４】
以上説明したように、本発明に係る光源装置は、放電ランプの後部側の外部リードと給電端子とを接続する給電線をほぼ直線状にしたことにより、その振動幅が小さなものとなり、点灯時にランプが振動することがあっても、該給電線が周辺部材と接触することがなく、従って音鳴りの発生を防止できるものである。
【符号の説明】
【００１５】
１          放電ランプ
２          反射鏡
３          ベース
４          給電端子
６          外部リード
１２        給電線
【図１】
0005704307.tif 000002
【図２】
0005704307.tif 000003
【図３】
0005704307.tif 000004
【図４】
0005704307.tif 000005